(57)【要約】【課題】美観を生じさせることが可能であるとともに、日常生活での使用に適した照明装置を提供する。【解決手段】シーリングライト１００は回転対称の外形を有し、光源ユニット２ａと、カバー３と、反射シート４１とを備える。光源ユニット２ａは、シーリングライト１００の中心軸ｃに対して回転対称に配置された複数のＬＥＤを含み、複数のＬＥＤの各々が、中心軸ｃに直交する平面に略平行な方向に光を出射するように設けられる。反射シート４１は、回転対称の形状を有し、略平行な方向に出射された光を反射する。カバー３は複数のＬＥＤを覆い、複数のＬＥＤのうちの点灯しているＬＥＤから発せられた光を拡散させる。複数のＬＥＤは光源グループ１，２を含む。光源グループ１は、白色光で照明する照明モード１で点灯する。光源グループ２は、カバー３における色分布および輝度分布のうちの少なくとも一方が不均一である照明モード２で点灯する。【選択図】図１
2014170713.tif 000002
【特許請求の範囲】
【請求項１】
回転対称の外形を有する照明装置であって、
前記照明装置の中心軸に対して回転対称に配置された複数の光源を含み、前記複数の光源の各々が、前記中心軸に直交する平面に略平行な方向に光を出射するように設けられた光源ユニットと、
回転対称の形状を有し、前記略平行な方向に出射された光を反射する反射面と、
前記複数の光源を点灯させる制御回路と、
前記複数の光源を覆い、前記複数の光源のうちの点灯している光源から発せられた光および前記反射面からの光を拡散させるカバーとを備え、
前記複数の光源は、第１および第２の光源グループを含み、
前記第１の光源グループは、前記制御回路の制御により、白色光で照明する第１の照明モードで点灯し、
前記第２の光源グループは、前記制御回路の制御により、前記複数の光源のうちの該当の光源から発せられた光の前記カバーにおける色分布および輝度分布のうちの少なくとも一方が不均一である第２の照明モードで点灯する、照明装置。
【請求項２】
前記複数の光源は、第３の光源グループをさらに含み、
前記複数の光源のうち前記第３の光源グループに属する光源は、前記制御回路の制御により、前記カバーにおける色分布および輝度分布のうちの少なくとも一方が不均一である第３の照明モードで点灯する、請求項１に記載の照明装置。
【請求項３】
前記第１の照明モードでは、前記第１の光源グループは、前記カバーにおける色分布および輝度分布が均一となるように光を発する、請求項１または２に記載の照明装置。
【請求項４】
前記第１および第２の照明モードのうちの所望の照明モードを選択するための使用者による操作を受け付ける操作部をさらに備え、
前記操作部は、前記使用者によって選択された照明モードを選択するよう前記制御回路に指示する信号を、前記制御回路に出力する、請求項１に記載の照明装置。
【請求項５】
前記光源ユニットは、各々に前記複数の光源のうちの対応する光源が配置された複数の小基板を含み、
前記複数の小基板は、前記照明装置の前記中心軸の周りに環状に配置される、請求項１に記載の照明装置。
【発明の詳細な説明】
【技術分野】
【０００１】
本発明は照明装置に関する。
【背景技術】
【０００２】
通常、照明装置では、白熱電球あるいは蛍光灯のように白色光が使用される。光源にＬＥＤ（Light  Emitting  Diode）を用いる照明装置では、ＬＥＤからの紫外光あるいは青色光を蛍光体によって黄色光に変換し、元の光と混合することで白色光を作り出すことが一般的である。一方で、赤色、緑色、あるいは青色など白色以外に発光するＬＥＤをそのまま用いて、雰囲気作りのために使用される照明装置がある。
【０００３】
たとえば特開２０１０−１５９６２号公報（特許文献１）が開示するＬＥＤ装飾照明器具は、光の点滅周期を短くして使用者の気分を活性化させたり、光の点滅周期を長くして癒しの雰囲気を作ったりすることができる。また、特開２００１−７６５１５号公報（特許文献２）が開示するＬＥＤを使用した照明器具は、ＬＥＤから照射された多彩な複数の光を被写体に投光させて、多彩な模様を生じさせる。このような照明装置では、複数の色の光が順に替わりながら出射されるとともに、それら複数の色の光によって照射面に模様が生じる。
【先行技術文献】
【特許文献】
【０００４】
【特許文献１】特開２０１０−１５９６２号公報
【特許文献２】特開２００１−７６５１５号公報
【発明の概要】
【発明が解決しようとする課題】
【０００５】
しかしながら、特許文献１，２に開示された室内の装飾用の照明装置は、あくまでも雰囲気作りが目的であって、食事あるいは読書などに十分な光量はない。これらの照明装置の光量を単純に増加させると、たとえば壁面に照度ムラとして間接的にグレアが生じてしまう可能性がある。
【０００６】
また、白色以外の有彩色で常時点灯する照明装置には、たとえば、水族館の水槽内部で使用される単色の高輝度青色ＬＥＤを用いた照明装置、ホールあるいはレストランで雰囲気作りに使用される照明装置などがある。しかし、白色以外の有彩色のＬＥＤを用いると、白色のＬＥＤの場合と比べて、物体の色が大きく異なって見える。したがって、これらの照明装置も、たとえばリビングルームで部屋全体を照らすなどの日常生活での使用には適さない。
【０００７】
本発明の目的は、美観を生じさせることが可能であるとともに、日常生活での使用に適した照明装置を提供することである。
【課題を解決するための手段】
【０００８】
本発明のある局面に従えば、照明装置は、回転対称の外形を有する。照明装置は、光源ユニットと、反射面と、カバーと、制御回路とを備える。光源ユニットは、照明装置の中心軸に対して回転対称に配置された複数の光源を含み、複数の光源の各々が、中心軸に直交する平面に略平行な方向に光を出射するように設けられる。反射面は、回転対称の形状を有し、略平行な方向に出射された光を反射するように設けられる。制御回路は、複数の光源を点灯させる。カバーは、複数の光源を覆い、複数の光源のうちの点灯している光源から発せられた光および反射面からの光を拡散させる。複数の光源は、第１および第２の光源グループを含む。第１の光源グループは、制御回路の制御により、白色光で照明する第１の照明モードで点灯する。第２の光源グループは、制御回路の制御により、複数の光源のうちの該当の光源から発せられた光のカバーにおける色分布および輝度分布のうちの少なくとも一方が不均一である第２の照明モードで点灯する。
【０００９】
好ましくは、複数の光源は、第３の光源グループをさらに含む。複数の光源のうち第３の光源グループに属する光源は、制御回路の制御により、カバーにおける色分布および輝度分布のうちの少なくとも一方が、照明装置の外周方向に不均一である第３の照明モードで点灯する。
【００１０】
好ましくは、第１の照明モードでは、第１の光源グループは、カバーにおける色分布および輝度分布が均一となるように光を発する。
【００１１】
好ましくは、照明装置は、第１および第２の照明モードのうちの所望の照明モードを選択するための使用者による操作を受け付ける操作部をさらに備える。操作部は、使用者によって選択された照明モードを選択するよう制御回路に指示する信号を、制御回路に出力する。
【００１２】
好ましくは、光源ユニットは、各々に複数の光源のうちの対応する光源が配置された複数の小基板を含む。複数の小基板は、照明装置の中心軸の周りに環状に配置される。
【発明の効果】
【００１３】
本発明によれば、美観を生じさせることが可能であるとともに、日常生活での使用に適した照明装置を実現することができる。
【図面の簡単な説明】
【００１４】
【図１】本発明の実施の形態１に係る照明装置の外観を模式的に示す外観斜視図である。
【図２】図１に示した光源基板ユニットを説明するための斜視図である。
【図３】図１に示した照明装置の回路構成の概略を示す機能ブロック図である。
【図４】図３に示した光源基板の回路構成の概略を説明するための回路図である。
【図５】図２に示した光源基板における光源の配置を説明するための平面図である。
【図６】図５に示した光源基板における各光源からの光の広がり方を説明するための図である。
【図７】図１に示した照明装置における光源からの光の広がり方を説明するための図である。
【図８】図１に示した照明装置において、光源が点灯中のカバー様子を模式的に示す図である。
【図９】本発明の実施の形態２に係る照明装置における光源基板、および光源が点灯中のカバーの様子を模式的に示す平面図である。
【図１０】本発明の実施の形態２の変形例１に係る照明装置における光源基板、および光源が点灯中のカバーの様子を模式的に示す平面図である。
【図１１】本発明の実施の形態２の変形例２に係る照明装置における光源基板、および光源が点灯中のカバーの様子を模式的に示す平面図である。
【図１２】本発明の実施の形態３に係る照明装置における光源基板、および光源が点灯中のカバーの様子を模式的に示す平面図である。
【図１３】本発明の実施の形態４に係る照明装置における光源基板、および光源が点灯中のカバーの様子を模式的に示す平面図である。
【図１４】図２に示した光源ユニットの一部を中心軸に沿って見た図である。
【発明を実施するための形態】
【００１５】
以下、本発明の実施の形態について、図面を参照しながら詳細に説明する。なお、図中同一または相当部分には同一符号を付して、その説明は繰り返さない。
【００１６】
以下に説明する実施の形態において、本発明の実施の形態に係る照明装置はシーリングライトである。しかしながら、本発明の実施の形態に係る照明装置はシーリングライトに限定されず、たとえばペンダントライトであってもよい。また、本発明の実施の形態に係る照明装置は、たとえば側壁に取り付けられて水平方向に光を照射してもよい。
【００１７】
本明細書では、カバーの表面を複数の単位領域に分割した場合に、上記領域間で基準値以上の色の偏りが含まれるとき（たとえば色度図上での距離が所定の値以上のとき）、カバーにおける光の色分布が「不均一」であると定義する。同様に、上記領域間で基準値以上の輝度の偏りが含まれるとき、カバーにおける光の輝度分布が「不均一」であると定義する。一方、上記領域間で色および輝度の偏りが各々の基準値未満のとき、カバーにおける光の色分布および輝度分布が「均一」であると定義する。カバーにおける光の色分布および輝度分布のうちの少なくとも一方が「不均一」の場合、カバーに模様が現れる。カバーの模様が周期性を有する場合であっても、「不均一」に含まれる。
【００１８】
［実施の形態１］
図１は、本発明の実施の形態１に係るシーリングライトの外観を模式的に示す外観斜視図である。図２は、図１に示した光源ユニットを説明するための斜視図である。図１および図２を参照して、シーリングライト（照明装置）１００は、室内の天井面に取り付けられる本体１と、リモートコントローラ１ａとを備える。本体１は、フレーム４と、反射シート４１と、カバー３と、光源ユニット２ａと、回路基板５とを備える。
【００１９】
フレーム４は円形の板金である。フレーム４の中心には、光源ユニット２ａが設けられる。光源ユニット２ａでは、フレーム４の中心軸ｃの周りに８個の光源基板２が正八角形をなすように配置される。光源基板２上には、複数のＬＥＤ（Light  Emitting  Diode）（光源）が配置される。これらのＬＥＤには、後述するＬＥＤ群が含まれる。各ＬＥＤは、中心軸ｃに直交する平面Ｐに略平行な方向に光を出射する。より具体的には、各ＬＥＤは、中心軸ｃから半径方向の外側に放射状に光を照射する。ＬＥＤの放熱対策のために、各光源基板２の裏面には放熱板（ヒートシンク）１７が設けられる。また、光源基板２には、光の損失を低減するために、高反射材（たとえば白色のレジスト）が塗布されている。
【００２０】
また、フレーム４の、光源ユニット２ａが設けられている側の面には反射シート４１が設けられている。反射シート４１は、中心軸ｃに対して回転対称となる形状（本実施の形態では円形）を成している。なお、反射シート４１は、本発明に係る「反射面」に相当する。
【００２１】
回路基板５は、光源ユニット２ａの内側に配置される。光源基板２上のＬＥＤの配置および回路基板５による光源基板２の制御方法については、後に詳細に説明する。
【００２２】
カバー３の形状は、フレーム４よりも若干大きいものの略同寸法の円形である。カバー３は、フレーム４の周縁部に嵌合して保持されて、本体１の下面全域を覆う。カバー３の材料には、たとえば光拡散性を有する樹脂が用いられる。カバー３が光を拡散させることにより、ＬＥＤから出射される光および反射シート４１により反射された光が床面に直接照射されない。したがって、使用者が天井面を向いてシーリングライト１００を直視した場合に、ＬＥＤからの光および反射シート４１により反射された光が使用者の目に直接差し込むことが防がれる。これによりグレアが低減されて、使用者の目の負担を抑えることができる。
【００２３】
図３は、図１に示したシーリングライト１００の回路構成の概略を示す機能ブロック図である。図３を参照して、回路基板５は、電源コネクタ１６と、電源回路１０と、電圧変換回路１４と、ＣＰＵ１１と、メモリ１２と、ＰＷＭ（Pulse  Width  Modulation）制御回路１３と、受信部１５とを含む。光源ユニット２ａに配置されるＬＥＤ群７は、その位置あるいは発光色に応じて２種類のＬＥＤ群７ａ（第１の光源グループ）およびＬＥＤ群７ｂ（第２の光源グループ）に分類される。
【００２４】
電源コネクタ１６は、たとえばフレーム４の中心付近（図１参照）に設けられる。電源回路１０は、電源コネクタ１６を介して、図示しない外部電源（たとえばＡＣ１００Ｖの商用電源）から交流電力を受ける。電源回路１０は、交流電力を直流電力に変換して、その直流電力を光源基板２および電圧変換回路１４に供給する。電圧変換回路１４は、たとえばレギュレータであって、電源回路１０からの直流電圧をＣＰＵ１１の動作電圧に変換する。なお、図３では、電源回路１０は電圧変換回路１４および光源基板２にのみ接続されるように図示される。しかし、電源回路１０の接続先はこれらに限られず、他の構成要素に対しても電源回路１０から必要な電力が供給される。
【００２５】
本体１（図１参照）は調光機能および調色機能を有し、室内の色および明るさを切り替えるための複数の照明モードを有する。使用者（図示せず）は、リモートコントローラ１ａを操作して、所望の照明モードを選択する。リモートコントローラ１ａは、使用者による操作を受け付けて、使用者が選択した照明モードを選択するように回路基板５に指示する信号を回路基板５に出力する。受信部１５は、リモートコントローラ１ａからの信号を受ける。なお、リモートコントローラ１ａは本発明に係る「操作部」の一例である。リモートコントローラ１ａに代えて、有線のスイッチなどを設けてもよい。
【００２６】
ＣＰＵ１１は、受信部１５からの信号に基づいて、シーリングライト１００全体を制御する。メモリ１２には、シーリングライト１００を制御するための各種プログラムおよび初期値などが格納される。メモリ１２は、ＣＰＵ１１のワーキングメモリとしても用いられる。ＰＷＭ制御回路１３は、ＣＰＵ１１からの指示に従って、ＬＥＤ群７を駆動するためのＰＷＭ信号Ｍ１，Ｍ２を生成する。なお、回路基板５は本発明に係る「制御回路」の一例である。ＣＰＵ１１、メモリ１２、およびＰＷＭ制御回路１３は、マイクロコンピュータによって構成してもよい。
【００２７】
各光源基板２には、ＬＥＤ群７ａ，７ｂに属するＬＥＤが設けられるとともに、それらのＬＥＤを駆動するためのＮチャネルのＦＥＴ（Field  Effect  Transistor）２１，２２が設けられる。なお、煩雑になるため、図４ではＬＥＤ群７ａ，７ｂに属するＬＥＤを２個ずつ図示している。ＦＥＴ２１，２２は、ＰＷＭ制御回路１３からのＰＷＭ信号Ｍ１，Ｍ２によってそれぞれ駆動される。
【００２８】
より具体的には、図４は、図３に示した光源基板２の回路構成の概略を説明するための回路図である。図４を参照して、ＬＥＤ群７ａ，７ｂに属するＬＥＤは、アノードが電源回路１０側を向き、カソードがＦＥＴ２１，２２のドレイン側をそれぞれ向くように直列に接続される。ＦＥＴ２１，２２のソースは、いずれも接地電位ＧＮＤに電気的に接続される。ＦＥＴ２１，２２のゲートは、ＰＷＭ制御回路１３に電気的に接続される。ＦＥＴ２１，２２は、ＰＷＭ信号Ｍ１，Ｍ２にそれぞれ応答して、導通状態と非導通状態とが切り替わる。これにより、各光源基板２上のＬＥＤ群７ａ，７ｂへの電流の供給が制御される。なお、ＦＥＴ２１，２２は、ＰＷＭ制御回路１３の内部に設けられてもよい。
【００２９】
図５は、図２に示した光源基板２におけるＬＥＤの配置を説明するための平面図である。図５を参照して、各光源基板２にはＬＥＤ群７ａ，７ｂに属するＬＥＤが配置される。ＬＥＤ群７ａの発光色は、たとえば電球色であって、ＬＥＤ群７ｂの発光色は、たとえば薄い紫色あるいはピンク色である。各光源基板２のＬＥＤ群７ａでは、８個のＬＥＤが等間隔かつ密に配置される。ＬＥＤ群７ｂでは、６個のＬＥＤが等間隔でないように配置される。より具体的には、図中左側と右側とに３個ずつＬＥＤが配置される。左右の３個ずつのＬＥＤ間の間隔Ｄｂは、ＬＥＤ群７ａのＬＥＤ間の間隔Ｄａよりも広い。この間隔Ｄｂにより、光源ユニット２ａでは、カバー３の円周方向にＬＥＤの配置に偏りが生じる。
【００３０】
ＬＥＤ群７ａ，７ｂに属するＬＥＤは、本発明に係る「光源」の一例である。後に詳細に説明するように、本発明に係る「光源」は指向性を有することを要する。ＬＥＤは、指向性を有するとともに、色も豊富に入手可能である。たとえば、照明装置用の白色ＬＥＤとしては、現在では３，０００Ｋ〜８，０００Ｋ程度の色温度のＬＥＤが入手可能である。また、有彩色のＬＥＤでは、光の３原色（赤色、緑色、および青色）を含め、複数の色が揃えられる。したがって、ＬＥＤを光源に用いることが好ましい。
【００３１】
ＬＥＤ群７ａは、黒体輻射に近い白色（たとえば電球色）に発光する。ＬＥＤ群７ｂは有彩色（白色以外）、たとえば紫色あるいはピンク色に発光する。「黒体輻射に近い白色」とは、ＪＩＳ−Ｃ８１５５「一般照明用ＬＥＤモジュール−性能要求事項」に基づき、相関色温度が２，５００Ｋ〜１０，０００Ｋであって（３．２「照明用白色ＬＥＤ」の欄に記載）、かつ黒体軌跡からの偏差（ｄｕｖ）が±０．０１の範囲内である（７．３．３「光源色及び演色性」の欄に記載）ことを言う。白熱電球あるいは蛍光灯などで従来からよく用いられる照明色（昼光色、昼白色、電球色など）は、すべて「黒体輻射に近い白色」である。そのため、この色は使用者にとって馴染みあって違和感が小さい。また、太陽光も「黒体輻射に近い白色」である。したがって、屋内（シーリングライト１００の下）と屋外（太陽光下）とを使用者が行き来する場合に物体の色の見え方の変化が小さくなる。
【００３２】
図６は、図５に示した光源基板２上の各ＬＥＤからの光の広がり方を説明するための図である。図６を参照して、図６は光源基板２の側面図である。領域７１ａは、ＬＥＤ群７ａに属する１個のＬＥＤから照射される光の光束が所定の基準値以上である範囲（配光分布）を示す。光源基板２上の各ＬＥＤからの光のほとんどは、ＬＥＤの前方（中心軸ｃに垂直な平面Ｐに平行な方向）に照射される。したがって、ＬＥＤ群７ａの前方は明るくなる一方で、その周辺は明るくならない。
【００３３】
図７は、図１に示したシーリングライト１００におけるＬＥＤからの光の広がり方を説明するための図である。図７を参照して、光源基板２上のＬＥＤからの光には、カバー３に直接入射する光と、反射シート４１で一旦拡散反射されてからカバー３に入射する光とが含まれる。反射の回数は一回に限られず、反射シート４１とカバー３との間で反射が繰り返される。このような多重反射によって、シーリングライト１００の内部で光が広がる。シーリングライト１００の内部で広がった光がカバー３により拡散される。
【００３４】
このように、ＬＥＤからの光の広がり方は、たとえばＬＥＤの前面に設けられるレンズの形状により定まるＬＥＤの配光分布、およびシーリングライト１００の構造（たとえばカバー３および反射シート４１の形状）により異なる。そのため、光源基板２上にＬＥＤ群７ａ，７ｂを配置する際には、ＬＥＤ群７ａ，７ｂから照射される光の広がりを考慮することが必要となる。
【００３５】
シーリングライト１００は３個の照明モードを有する。３個の照明モードとは、照明モード１（第１の照明モード）、照明モード２（第２の照明モード）、全灯モードである。以下、各照明モードにおけるカバー３の様子について詳細に説明する。
【００３６】
図８は、図１に示したシーリングライト１００において、ＬＥＤが点灯中のカバー３の様子を模式的に示す図である。図８を参照して、図８（Ａ）は、照明モード１（第１の照明モード）におけるカバー３の様子を示す。中心軸ｃがフレーム４と交わる点を中心Ｏで表す。照明モード１ではＬＥＤ群７ａのみが点灯する。ＬＥＤ群７ａでは、等間隔かつ密にＬＥＤが配置されている。このため、ＬＥＤ群７ａからの光がシーリングライト１００の内部で反射シート４１とカバー３との間で繰り返し反射されるとともにカバー３で拡散されることにより、カバー３の領域３ａでの色分布および輝度分布は均一になる。その結果、照射面における照度分布も均一になる。したがって、照明モード１は日常生活での使用に適する。
【００３７】
図８（Ｂ）は、照明モード２（第２の照明モード）におけるカバー３の様子を示す。照明モード２ではＬＥＤ群７ｂのみが点灯する。ＬＥＤ群７ｂでは、ＬＥＤ間の間隔が空いた箇所が存在する。そのため、ＬＥＤから出射された光および反射シート４１により反射された光にも間隔が空いた箇所が生じ、カバー３では輝度分布が不均一になる。これにより、カバー３に模様３ｂが現れる。より具体的には、模様３ｂは、ハート形状が組み合わされた形状を有する。このように、照明モード２では、カバー３に現れる模様３ｂよって美観を生じさせることができる。したがって、照明モード２は室内の雰囲気作りに適する。
【００３８】
一方で、ＬＥＤ群７ｂからの光はシーリングライト１００の内部で反射シート４１とカバー３との間で繰り返し反射されるとともに、カバー３で適度に拡散される。これにより、グレアが低減される。さらに、シーリングライト１００の外部においても、シーリングライト１００から放射状に光が広がる。この光は、たとえば天井面、壁面、あるいは室内の設置物（家具など）で反射して、床面に到達するまでに混ざり合う。そのため、カバー３に模様が現れていても、床面での照度ムラはほとんど気にならない程度になる。
【００３９】
図８（Ｃ）は、全灯モードにおけるカバー３の様子を示す。全灯モードではＬＥＤ群７ａ，７ｂの双方が点灯する。上述のように、ＬＥＤ群７ａの発光色は、たとえば電球色であって、ＬＥＤ群７ｂの発光色は、たとえば薄い紫色あるいはピンク色である。これらの色を色度図上で表した場合に、２点間の距離は所定の値以上になる。このため、カバー３の色分布が不均一になる。これにより、カバー３に模様３ｂが現れる。また、これらの色が混ざり合うことで、照射面では夕焼けのような色が得られる。このように、ＬＥＤ群７ａ，７ｂの色を適切に調整することで、白色と有彩色とが混ざり合って、白熱電球あるいは蛍光灯とは雰囲気が異なる照明装置を実現することができる。さらに、図８（Ｂ）における説明と同様に、グレアが低減されるとともに、床面での照度ムラはほとんど気にならない程度になる。
【００４０】
以上のように、実施の形態１に係るシーリングライト１００は、カバー３での色分布および輝度分布が均一になる照明モード１と、カバー３に模様３ｂが現れる照明モード２および全灯モードを備える。グレアを極力低減したい場合、あるいは照射面での照度分布も極力均一にしたい場合は、使用者は照明モード１を選択することができる。一方、室内の雰囲気作りなどの目的でシーリングライト１００の美観を高めたい場合には、使用者は照明モード２または全灯モードを選択することができる。照明モード２および全灯モードにおいても、グレアが低減されるとともに、床面での照度ムラはほとんど気にならない程度になる。実施の形態１に係るシーリングライト１００によれば、上記両方の用途を兼ねることができる。
【００４１】
なお、上記のＬＥＤ群７ａ，７ｂの発光色は一例であって、ＬＥＤ群７ａ，７ｂの発光色はこれに限定されない。領域３ａの色と模様３ｂの色とが異なることが重要である。たとえばＬＥＤ群７ａが昼光色に発光し、ＬＥＤ群７ｂが青色に発光する場合には、室内は病院内のような少し青白い白色になる。
【００４２】
また、ＬＥＤ群７ａ，７ｂの発光色が同じである場合でも、ＬＥＤ群７ａ，７ｂの発光量（たとえば光束）が互いに異なるようにすることにより、カバー３の輝度分布が不均一になる。その結果、カバー３に模様が現れる。ＰＷＭ信号Ｍ１，Ｍ２（図４参照）のデューティ比を制御することで、ＬＥＤ群７ａ，７ｂに流れる電流がそれぞれ調整される。これにより、カバー３に現れる模様３ｂの濃さ、あるいは領域３ａと模様３ｂとの間のコントラストを変更することができる。
【００４３】
カバー３に模様３ｂが現れるようにするためには、複数種類の光源基板を用いてもよい。しかしながら、製造工程のことを考慮すると、一種類の光源基板を用いる方が部材点数および工数の削減の観点から好ましい。また、光源基板が一種類であれば、光の拡散および反射などの光学的特性も共通である。そのため、照明装置を円形あるいは正多角形などの対称性が良い形状で構成できて都合が良い。照明装置が円形あるいは正多角形である場合、照明装置から放射状に広がる光の円周方向（あるいは外周方向）の偏りが抑えられる。したがって、照射面での照度ムラがより小さく、日常生活に適した照明装置が実現できる。
【００４４】
光源ユニット２ａの形状は正八角形であると説明した。しかし、光源ユニットの形状はこれに限定されない。光源ユニットの形状は、シーリングライトの大きさ（あるいはシーリングライトの外形形状）に応じて適宜変更が可能である。ただし、光源ユニットの形状は、正ｎ方形（ｎは４以上の自然数）であることが好ましい。これにより、光源基板の種類が一種類で済む。また、シーリングライトの周囲の少なくとも４方向について、床面に到達する照射光の分布をほぼ均一にすることができる。
【００４５】
反射シート４１の形状についても同様に、円形のほか正ｎ角形など、シーリングライトの中心に対して回転対称となる形状が好ましい。反射シート４１が円形または正ｎ角形である場合、反射シート４１による反射光の円周方向（または外周方向）の偏りが抑えられる。したがって、上述の光源基板２または光源ユニット２ａでの事情と同様に、照射面での照度ムラがより小さく、日常生活に適した照明装置が実現できる。
【００４６】
［実施の形態２］
ＬＥＤの配置を調整することで、カバーに現れる模様を様々に変更することが可能である。
【００４７】
図９は、本発明の実施の形態２に係るシーリングライトにおける光源基板、およびＬＥＤが点灯中のカバー３の様子を模式的に示す平面図である。図９（Ａ）を参照して、各光源基板２０２にはＬＥＤ群７ａ（第１の光源グループ）とＬＥＤ群７ｂ（第２の光源グループ）に属するＬＥＤとが配置される。ＬＥＤ群７ａの配置は、実施の形態１におけるＬＥＤ群７ａの配置と共通である。各光源基板２０２上のＬＥＤ群７ｂに属するＬＥＤは、ＬＥＤ群７ａに属する２個のＬＥＤの間（一例として図中左から２番目のＬＥＤと３番目のＬＥＤとの中間）に配置される。フレーム４の中心Ｏには、８個の光源基板２０２が正八角形となるように配置された光源ユニット２０２ａが設けられる。実施の形態２に係るシーリングライトのそれ以外の構成は、実施の形態１に係るシーリングライト１００（図１参照）の構成と同等であるため、詳細な説明を繰り返さない。
【００４８】
照明モード１におけるカバー３の様子は実施の形態１（図８（Ａ）参照）と同様であるため、詳細な説明を繰り返さない。一方、図９（Ｂ）は、照明モード２におけるカバー３の様子を示す。カバー３には、ＬＥＤ群７ｂの位置に対応して、花のような模様３１ｂが現れる。これにより、実施の形態１とは異なる美観を生じさせることができる。
【００４９】
［変形例１］
図１０は、本発明の実施の形態２の変形例１に係るシーリングライトにおける光源基板、およびＬＥＤが点灯中のカバー３の様子を模式的に示す平面図である。図１０を参照して、図１０は図９と対比される。実施の形態２の変形例１では、各光源基板２０３上の２個のＬＥＤがＬＥＤ群７ｂに属する。フレーム４の中心Ｏには、８個の光源基板２０３が正八角形となるように配置された光源ユニット２０３ａが設けられる。
【００５０】
図１０（Ｂ）は、照明モード２におけるカバー３の様子を示す。実施の形態２と比べて、カバー３に現れる花模様３２ｂの花びらの数が増える。これにより、実施の形態２とは異なる美観を生じさせることができる。
【００５１】
［変形例２］
図１１は、本発明の実施の形態２の変形例２に係るシーリングライトにおける光源基板、およびＬＥＤが点灯中のカバー３の様子を模式的に示す平面図である。図１１を参照して、図１１は図９および図１０と対比される。実施の形態２の変形例２では、各光源基板２０４上の３個のＬＥＤがＬＥＤ群７ｂに属する。フレーム４の中心Ｏには、８個の光源基板２０４が正八角形となるように配置された光源ユニット２０４ａが設けられる。
【００５２】
図１１（Ｂ）は、照明モード２におけるカバー３の様子を示す。実施の形態２の変形例１と比べて、カバー３に現れる花模様３３ｂの花びらの数が一層増える。これにより、実施の形態２およびその変形例１とは異なる美観を生じさせることができる。
【００５３】
［実施の形態３］
図１２は、本発明の実施の形態３に係るシーリングライトにおける光源基板、およびＬＥＤが点灯中のカバー３の様子を模式的に示す平面図である。図１２を参照して、図１２（Ａ）は、実施の形態３に係るシーリングライトにおける光源基板２０５上のＬＥＤの配置を示す。各光源基板２０５上には９個のＬＥＤが間隔Ｄで等間隔に配置される。これらのＬＥＤは、３個ずつ３つのグループ（ＬＥＤ群８ａ〜８ｃ）に分類される。ＬＥＤ群８ａ〜８ｃは互いに独立して発光させることが可能である。ＬＥＤ群８ａ〜８ｃのＬＥＤの発光色は同じであって、たとえば黒体輻射に近い白色である。フレーム４の中心Ｏには、８個の光源基板２０５が正八角形となるように配置された光源ユニット２０５ａが設けられる。実施の形態３に係るシーリングライトのそれ以外の構成は、実施の形態１に係るシーリングライト１００（図１参照）の構成と同等であるため、詳細な説明を繰り返さない。
【００５４】
図１２（Ｂ）〜（Ｄ）は、ＬＥＤ群８ａ〜８ｃがそれぞれ点灯中のカバー３の様子を示す。図１２（Ｂ）ではＬＥＤ群８ａのみが点灯し、図１２（Ｃ）ではＬＥＤ群８ｂのみが点灯し、図１２（Ｄ）ではＬＥＤ群８ｃのみが点灯する。ＬＥＤ群８ａ〜８ｃの各々を単独で点灯させると、カバー３の円周方向について点灯中のＬＥＤの配置が不均等になる。これにより、花模様３４ａ〜３４ｃが現れる位置がＬＥＤ群８ａ〜８ｃにそれぞれ対応して変化する。
【００５５】
図１２（Ｅ）は、ＬＥＤ群８ａ〜８ｃのすべてが点灯中のカバー３の様子を示す。ＬＥＤ群８ａ〜８ｃのすべてを点灯させると、カバー３の円周方向について、点灯中のＬＥＤの配置は均等になる。そのため、カバー３に花模様が現れなくなる。このように、点灯させるＬＥＤ群を切り替えることにより、カバー３に模様が現れるか否かを選択することができる。さらに、カバー３に模様が現れるようにする場合には、点灯させるＬＥＤ群に応じて、その模様の位置（あるいは模様の形状）を変化させることができる。
【００５６】
なお、実施の形態３では、ＬＥＤ群８ａ〜８ｃが一括して本発明に係る「第１の光源グループ」に対応し、ＬＥＤ群８ａ〜８ｃのうちの一つが本発明に係る「第２の光源グループ」に対応し、ＬＥＤ群８ａ〜８ｃのうちの他の一つが「第３の光源グループ」に対応する。したがって、図１２（Ｅ）に示す場合が本発明に係る「第１の照明モード」に対応し、図１２（Ｂ）〜（Ｄ）に示す場合のうちの任意の一つが本発明に係る「第２の照明モード」に対応し、図１２（Ｂ）〜（Ｄ）に示す場合のうちのそれ以外の任意の一つが本発明に係る「第３の照明モード」に対応する。
【００５７】
［実施の形態４］
実施の形態１〜３において、ＬＥＤ群７ａ，８ａ〜８ｃは白色に発光する。しかし、本発明の実施の形態において、光源ユニット上の複数のＬＥＤ群の中に白色に発光するＬＥＤ群が含まれることは必須ではない。
【００５８】
図１３は、本発明の実施の形態４に係るシーリングライトにおける光源基板、およびＬＥＤが点灯中のカバー３の様子を模式的に示す平面図である。図１３を参照して、図１３（Ａ）は、実施の形態４に係るシーリングライトにおける光源基板２０６上のＬＥＤ群９ｒ，９ｇ，９ｂの配置を示す。光源基板２０６上のＬＥＤ群９ｒ，９ｇ，９ｂの配置は、実施の形態３における光源基板２０５上のＬＥＤ群８ａ〜８ｃの配置と共通である。しかし、ＬＥＤ群９ｒ，９ｇ，９ｂの発光色が異なる。より具体的には、ＬＥＤ群９ｒは赤色に発光し、ＬＥＤ群９ｇは緑色に発光し、ＬＥＤ群９ｂは青色に発光する。フレーム４の中心Ｏには、８個の光源基板２０６が正八角形となるように配置された光源ユニット２０６ａが設けられる。実施の形態４に係るシーリングライトのそれ以外の構成は、実施の形態１に係るシーリングライト１００（図１参照）の構成と同等であるため、詳細な説明を繰り返さない。
【００５９】
図１３（Ｂ）〜（Ｄ）は、ＬＥＤ群９ｒ，９ｇ，９ｂがそれぞれ点灯中のカバー３の様子を示す。ＬＥＤ群９ｒ，９ｇ，９ｂの各々を単独で点灯させると、カバー３での輝度分布が不均一になる。これにより、点灯中のＬＥＤ群に対応する位置に、それぞれ赤色、緑色、青色である模様３５ｒ，３５ｇ，３５ｂが現れる。
【００６０】
図１３（Ｅ）は、ＬＥＤ群９ｒ，９ｇ，９ｂのすべてが点灯中のカバー３の様子を示す。カバー３には、カバー３の円周方向に周期的に赤色、緑色、および青色が偏在し、カバー３での色分布が不均一になる。そのため、カバー３に模様３５ｒ，３５ｇ，３５ｂが現れるとともに、それらの色が混ざり合った色の模様が現れる。これにより、美観を生じさせることができる。一方で、照射面の色は、赤色、緑色、および青色の光が混ざり合って白色となる。このように、ＬＥＤ群が白色に発光しなくても、白色光を照明することが可能である。したがって、たとえばリビングルームで部屋全体を照らすなどの日常生活での使用に適した照明装置を実現することができる。
【００６１】
図１４は、図２に示した光源ユニット２ａの一部を中心軸ｃに沿って見た図である。図１４を参照して、図１４では、ＬＥＤ群７ａ，７ｂのうちＬＥＤ群７ａのみを図示している。図５で説明したように、各光源基板２上では、ＬＥＤ群７ａに属するＬＥＤが間隔Ｄａで等間隔に配置される。図中左側の光源基板２の右端に配置されたＬＥＤと、図中右側の光源基板２の左端に配置されたＬＥＤとの間の間隔はＤｃである。
【００６２】
本明細書においてＬＥＤが「均等」に配置される場合とは、ＬＥＤがすべて等間隔に配置される場合（つまり、ＤｃがＤａと等しい場合）を含むが、これに限定されない。本明細書では、異なる光源基板２に配置された隣接するＬＥＤ間の間隔Ｄｃが、各光源基板２上に等間隔に配置されたＬＥＤ間の間隔Ｄａと異なる場合、あるいはカバー３における光の色分布および輝度分布が「均一」である程度に間隔Ｄｃが間隔Ｄａに対して大きさ差異のない場合にも、これらのＬＥＤが「均等」に配置されていると言う。
【００６３】
なお、実施の形態４では、ＬＥＤ群９ｒ，９ｇ，９ｂが一括して本発明に係る「第１の光源グループ」に対応し、ＬＥＤ群９ｒ，９ｇ，９ｂのうちの一つが本発明に係る「第２の光源グループ」に対応し、ＬＥＤ群９ｒ，９ｇ，９ｂのうちの他の一つが本発明に係る「第３の光源グループ」に対応する。したがって、図１３（Ｅ）に示す場合が本発明に係る「第１の照明モード」に対応し、図１３（Ｂ）〜（Ｄ）に示す場合のうちの任意の一つが本発明に係る「第２の照明モード」に対応し、図１３（Ｂ）〜（Ｄ）に示す場合のうちのそれ以外の任意の一つが本発明に係る「第３の照明モード」に対応する。
【００６４】
また、実施の形態１〜４に係るシーリングライトの形状は円形であると説明した。しかし、本発明の実施の形態に係るシーリングライトの形状は円形に限られず、回転対称であればよい。したがって、シーリングライトの形状は、たとえば正多角形（一例として長方形）であってもよい。
【００６５】
本発明の実施の形態は次のように要約することができる。
回転対称の外形を有するシーリングライト１００であって、シーリングライト１００の中心軸ｃに対して回転対称に配置された複数のＬＥＤを含み、複数のＬＥＤの各々が、中心軸ｃに直交する平面Ｐに略平行な方向に光を出射するように設けられた光源ユニット２ａと、複数のＬＥＤを点灯させる回路基板５と、フレーム４において光源ユニット２ａが設けられている側の面に中心軸ｃに対して回転対称となる形状を成して設けられた反射シート４１と、複数のＬＥＤを覆い、複数のＬＥＤのうちの点灯しているＬＥＤから発せられた光および反射シート４１により反射された光を拡散させるカバー３とを備え、複数のＬＥＤは、ＬＥＤ群７ａとＬＥＤ群７ｂとを含み、ＬＥＤ群７ａは、回路基板５の制御により、白色光で照明する照明モード１で点灯し、ＬＥＤ群７ｂは、回路基板５の制御により、複数のＬＥＤのうちの該当のＬＥＤから発せられた光のカバー３における色分布および輝度分布のうちの少なくとも一方が不均一である照明モード２で点灯する、シーリングライト１００。
【００６６】
上記の構成によれば、美観を生じさせることが可能であるとともに、日常生活での使用に適した照明装置を実現することができる。
【００６７】
複数のＬＥＤのうちＬＥＤ群９ｇに属するＬＥＤは、回路基板５の制御により、カバー３における色分布および輝度分布のうちの少なくとも一方が不均一である照明モード３で点灯する、シーリングライト。
【００６８】
上記の構成によれば、カバー３に異なる模様が現れるようにすることができる。
照明モード１では、ＬＥＤ群７ｂは、カバー３における色分布および輝度分布が均一となるように光を発する、シーリングライト１００。
【００６９】
上記の構成によれば、グレアを低減するとともに、照射面での照度分布を均一にすることができる。
【００７０】
照明モード１，２のうちの所望の照明モードを選択するための使用者による操作を受け付けるリモートコントローラ１ａをさらに備え、リモートコントローラ１ａは、使用者によって選択された照明モードを選択するよう回路基板５に指示する信号を、回路基板５に出力する、シーリングライト１００。
【００７１】
上記の構成によれば、使用者がカバー３の模様の有無を選択することができる。
光源ユニット２ａは、各々に複数のＬＥＤのうちの対応するＬＥＤが配置された複数の光源基板２を含み、複数の光源基板２は、シーリングライト１００の中心軸ｃの周りに環状に配置される、シーリングライト１００。
【００７２】
上記の構成によれば、シーリングライト１００の外周方向の全周に光を照らすことができる。
【００７３】
光源ユニット２ａの形状は、正多角形（正八角形）であって、複数の光源基板２は、正多角形の各辺に対応する位置に設けられる、シーリングライト１００。
【００７４】
上記の構成によれば、光源基板が一種類となって、部材点数および組立の工数を削減することができる。
【００７５】
複数の光源の各々は、ＬＥＤである、シーリングライト１００。
上記の構成によれば、豊富な色の光源が入手可能である。
【００７６】
ＬＥＤ群７ａが照明する白色光は、黒体輻射に近い白色である、シーリングライト１００。
【００７７】
上記の構成によれば、使用者にとって馴染みあって違和感が小さい照明装置を実現できる。また、屋内（シーリングライト１００の下）と屋外（太陽光下）とを使用者が行き来する場合に物体の色の見え方の違いが小さくなる。
【００７８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７９】
１００  シーリングライト、１  本体、１ａ  リモートコントローラ、２，２０２〜２０６  光源基板、２ａ  光源ユニット、３  カバー、４  フレーム、４１  反射シート、５  回路基板、７ａ，７ｂ，８ａ〜８ｃ，９ｒ，９ｇ，９ｂ  ＬＥＤ群、１０  電源回路、１１  ＣＰＵ、１２  メモリ、１３  ＰＷＭ制御回路、Ｍ１〜Ｍ３  ＰＷＭ信号、１４  電圧変換回路、１５  受信部、１７  放熱板、１８  センターカバー、２１，２２  ＦＥＴ。
【図１】
2014170713.tif 000003
【図２】
2014170713.tif 000004
【図３】
2014170713.tif 000005
【図４】
2014170713.tif 000006
【図５】
2014170713.tif 000007
【図６】
2014170713.tif 000008
【図７】
2014170713.tif 000009
【図８】
2014170713.tif 000010
【図９】
2014170713.tif 000011
【図１０】
2014170713.tif 000012
【図１１】
2014170713.tif 000013
【図１２】
2014170713.tif 000014
【図１３】
2014170713.tif 000015
【図１４】
2014170713.tif 000016